(57)【要約】      （修正有）【課題】本体と組合せケースの取り替えが便利で、多様な組合せを可とし、系列製品の開発と大量生産に有利なシュレッダー統合構造を提供する。【解決手段】シュレッダー統合構造は本体１、組合せケース２、照明灯を含む。該組合せケース頂点部には上開口部を設置し、これにより該本体を入れ、対応させ緊密に接続させ、該組合せケースの内部と該本体下方には共に接続孔を設置し、ネジにより螺接し、該組合せケース上には側開口部２２を設置し、光透過可能な紙収容抽斗２３を挿入設置する。該本体下方には該照明灯を設置し、該紙収容抽斗を照らし、装飾とし、また廃棄紙のフル状態識別に使用することができる。【選択図】図１
0003145196.tif 000002
【実用新案登録請求の範囲】
【請求項１】
本体、組合せケース、照明灯を含み、
該本体上方は円矩形のパネルを呈し、四隅には弧状ガイド角を設置し、
該組合せケースは円矩形の筒体で、その頂点部には上開口部を設置し、これにより該本体を入れ、対応させ緊密に接続させ、該組合せケース辺上には側開口を設置し、光透過可能な紙収容抽斗を挿入設置し、
該照明灯は該本体下方に設置し、該紙収容抽斗を照らすことができ、
これにより該本体と該組合せケースの取り替えは便利で多様な変化が可能で、しかも該紙収容抽斗は灯光の照明装飾を備え、廃棄紙のフル状態時には識別使用を提供することを特徴とするシュレッダー統合構造。
【請求項２】
前記本体側壁は上から下へと徐々に収縮する形状を呈し、下方には面積がより小さい底部を形成し、
該組合せケースの内部と該本体下方は共に接続孔を設置し、ネジにより螺接し、
組成されたシュレッダー上には進紙口を備えることを特徴とする請求項１記載のシュレッダー統合構造。
【請求項３】
前記組合せケースは上から下へと徐々に縮小する側壁を設置し、こうして組成されたシュレッダー上方のパネルは明らかに機体底部より大きくなることを特徴とする請求項２記載のシュレッダー統合構造。
【請求項４】
前記組合せケース底部には開口部を設置し、これによりシュレッダーは各種異なるサイズの収容桶上に随意に組合せ設置することができ、個人の用量に応じてフレキシブルに改変可能であることを特徴とする請求項２記載のシュレッダー統合構造。
【請求項５】
前記本体上には回転可能なハンドルを設置することを特徴とする請求項１記載のシュレッダー統合構造。
【請求項６】
前記本体上方のパネル側辺にはフランジを環状に設置し、これにより該組合せケースの上開口部に跨ぎ設置することを特徴とする請求項２記載のシュレッダー統合構造。
【請求項７】
前記本体上方には光ディスク及びクレジットカードを破砕可能な、めくり上げ式の導入切口を設置することを特徴とする請求項２記載のシュレッダー統合構造。
【請求項８】
前記本体上方には組み立て分解可能で、色彩造形を備えるパネル蓋を供えることを特徴とする請求項１記載のシュレッダー統合構造。
【請求項９】
前記シュレッダー辺上には弧状で突出形状の持ち手を設置し、該組合せケースは上下等幅の直筒形状で、該組合せケースの底部後方の両角にはキャスターを設置し、前方の両角には短柱を設置することを特徴とする請求項２記載のシュレッダー統合構造。
【請求項１０】
前記組合せケースの側辺には直立の安定性を補助する粘着嵌合帯を設置することを特徴とする請求項９記載のシュレッダー統合構造。
【考案の詳細な説明】
【技術分野】
【０００１】
本考案はシュレッダー統合構造に関する。特に本体及びケースの交換が便利で多様な変化が可能で、系列製品の開発と大量生産に有利で、しかもケース側壁は徐々に収縮する設計とし、紙収容抽斗内には灯光を設置し、こうして機器はより美的で実用的となるシュレッダー統合構造に係る。
【背景技術】
【０００２】
シュレッダーは大量に文書を破砕処理することができるため、文書内容を識別不能とすることで、優れた機密保持効果を備える。よって企業や事業者に愛用されており、必須の事務機器となっており、今後も市場での販売量は伸びが期待できる。そのため多くの特許や実用新案が批准されている。 
【０００３】
しかし、公知のシュレッダー構造は組み立て設計において機動性を欠いており、良好で完璧な計画がなされていないため、製品開発統合において多用な変化組み立てを行うことができない。つまり製造には多くの不便な点があり、それが主要な欠点となっている。
【０００４】
公知のシュレッダー構造の中にはランプを設置するものもあるが、それは主にパネル上に配置されており、機器がスタンバイに入り、起動状態を待つ状態のインジケーターとなるだけである。つまり、設置されるランプは機体造形を装飾する光源とすることはできず、またフル状態の識別ランプとすることもできない。これはもう一つの欠点といえる。
【０００５】
さらに公知のシュレッダー構造の上方のシュレッダー機構部分の多くは、対応する予定サイズの廃棄紙収容桶上にしか組み立てることができない。すなわち、機種の大小に関わらず、あらゆる組み立て構造設計サイズはすべて固定されており、その収容桶が処理可能な廃棄紙容積には量の制限があり、個人の用量に応じて自由に変化させることはできない。文書が増え、或いは多くの人が使用する時には、文書破砕処理と同時に、しばしば収容桶中の廃棄紙を空けなければ、順調に使用することができず、作業上の面倒となっている。これが三つ目の欠点である。
【考案の開示】
【考案が解決しようとする課題】
【０００６】
本考案が解決しようとする主な課題は、本体及びケースの交換が便利で多様な変化が可能で、系列製品の開発と大量生産に有利で、しかもケース側壁は徐々に収縮する設計とし、紙収容抽斗内には灯光を設置し、こうして機器はより美的で実用的となるシュレッダー統合構造を提供することである。
【０００７】
上記課題を解決するため、本考案は下記のシュレッダー統合構造を提供する。
シュレッダー統合構造は本体、組合せケース、照明灯を含み、
該組合せケース頂点部には上開口部を設置し、これにより該本体を入れ、対応させ緊密に接続させ、
該組合せケースの内部と該本体下方には共に接続孔を設置し、ネジにより螺接し、該組合せケース上には側開口部を設置し、光透過可能な紙収容抽斗を挿入設置し、
該本体下方には該照明灯を設置し、該紙収容抽斗を照らし、装飾とし、また廃棄紙のフル状態識別に使用することができ、
これにより該本体と該組合せケースの取り替えは便利で多様な変化が可能で、系列製品の開発と大量生産に有利で、しかもケース側壁は徐々に収縮する設計とし、紙収容抽斗内には灯光を設置し、こうして機器はより美的で実用的となる。
【課題を解決するための手段】
【０００８】
請求項１の考案は、本体、組合せケース、照明灯を含み、
該本体上方は円矩形のパネルを呈し、四隅には弧状ガイド角を設置し、
該組合せケースは円矩形の筒体で、その頂点部には上開口部を設置し、これにより該本体を入れ、対応させ緊密に接続させ、該組合せケース辺上には側開口を設置し、光透過可能な紙収容抽斗を挿入設置し、
該照明灯は該本体下方に設置し、該紙収容抽斗を照らすことができ、
これにより該本体と該組合せケースの取り替えは便利で多様な変化が可能で、しかも該紙収容抽斗は灯光の照明装飾を備え、廃棄紙のフル状態時には識別使用を提供することを特徴とするシュレッダー統合構造としている。
請求項２の考案は、前記本体側壁は上から下へと徐々に収縮する形状を呈し、下方には面積がより小さい底部を形成し、
該組合せケースの内部と該本体下方は共に接続孔を設置し、ネジにより螺接し、
組成されたシュレッダー上には進紙口を備えることを特徴とする請求項１記載のシュレッダー統合構造としている。
請求項３の考案は、前記組合せケースは上から下へと徐々に縮小する側壁を設置し、こうして組成されたシュレッダー上方のパネルは明らかに機体底部より大きくなることを特徴とする請求項２記載のシュレッダー統合構造としている。
請求項４の考案は、前記組合せケース底部には開口部を設置し、これによりシュレッダーは各種異なるサイズの収容桶上に随意に組合せ設置することができ、個人の用量に応じてフレキシブルに改変可能であることを特徴とする請求項２記載のシュレッダー統合構造としている。
請求項５の考案は、前記本体上には回転可能なハンドルを設置することを特徴とする請求項１記載のシュレッダー統合構造としている。
請求項６の考案は、前記本体上方のパネル側辺にはフランジを環状に設置し、これにより該組合せケースの上開口部に跨ぎ設置することを特徴とする請求項２記載のシュレッダー統合構造としている。
請求項７の考案は、前記本体上方には光ディスク及びクレジットカードを破砕可能な、めくり上げ式の導入切口を設置することを特徴とする請求項２記載のシュレッダー統合構造としている。
請求項８の考案は、前記本体上方には組み立て分解可能で、色彩造形を備えるパネル蓋を供えることを特徴とする請求項１記載のシュレッダー統合構造としている。
請求項９の考案は、前記シュレッダー辺上には弧状で突出形状の持ち手を設置し、該組合せケースは上下等幅の直筒形状で、該組合せケースの底部後方の両角にはキャスターを設置し、前方の両角には短柱を設置することを特徴とする請求項２記載のシュレッダー統合構造としている。
請求項１０の考案は、前記組合せケースの側辺には直立の安定性を補助する粘着嵌合帯を設置することを特徴とする請求項９記載のシュレッダー統合構造としている。
【考案の効果】
【０００９】
上記のように、本考案により系列製品の開発と大量生産に有利で、しかもケース側壁は徐々に収縮する設計とし、紙収容抽斗内には灯光を設置し、こうして機器はより美的で実用的となる。
【考案を実施するための最良の形態】
【００１０】
本考案の特徴と実施について、以下に図を用い、最適実施例について詳細に説明する。
図１〜図１０に示すように、本考案シュレッダー統合構造は主に、本体１、組合せケース２、照明灯３を含む。
【００１１】
該本体１上方は円矩形を呈するパネル１１で、側辺にはフランジ１２を環状に設置し、四隅には弧状のガイド角１３を設置する。該本体１後方には電源コンセント１４を設置し、分離式電源コードを挿入接続する(図示なし)。該本体１機体側壁１５は上から下へと徐々に収縮する形状で、下方には面積がより小さい底部１６を備える。
【００１２】
該組合せケース２は円矩形筒体で、その頂点部には上開口部２１を設置し、該本体１を入れ対応組立てる。該組合せケース２辺上には側開口部２２を設置し、光透過可能(或いは局部光透過可能)な紙収容抽斗２３を挿入設置する。該組合せケース２の内部と該本体１下方には共に、接続孔２０と１０を設置し、ネジ２４により螺接し緊密に接続する。
【００１３】
該照明灯３はランプ或いはLEDで、該本体１下方に位置し、該紙収容抽斗２３を照らす。こうして発光可能で外観装飾とすることができる他、フル状態を示す識別灯として使用することができ、機器は美観と実用性を兼ね備える。
【００１４】
図１〜図５に示すように、該本体１の四隅には弧状ガイド角１３を設置し、該機体側壁１５は上から下へと徐々に収縮する形状で、該組合せケース２は円矩形の錐筒であるため、該本体１と該組合せケース２の取り替えは便利で多様な変化が可能である。こうして各種異なるサイズの系列製品の開発、大量生産に有利である。
【００１５】
例えば、図５に示すように、シュレッダーを組成する基本機種上方に進紙口１９を設置する。強化型は該進紙口１９辺上に、光ディスク及びクレジットカードを破砕可能な、めくり上げ式の導入切口１８を設置する。或いは外観造形に、回転可能なハンドル１７を増設し、他の機種に派生させることができる。こうして該系列製品は極めてシンプルな外観と前衛的な造形を備えるシュレッダー製品となる。
【００１６】
或いは図６に示すように、本考案と市販されている各種異なる色の収容桶を組合せる時には、全体的に一致した対応色調を備え、該本体１上方にパネル蓋１１０を増設する。該パネル蓋１１０は組み立て分解が可能で、色彩造形を備え、応用時には自由に選択組合せることができ、製品はより多様性を備えるようになる。
【００１７】
本考案は製造時に、図１〜図３に示すように底部がある組合せケース２を採用可能な他、図７、８に示すように下方に開口部２５を備える組合せケース２を採用することができる。これにより、小型の紙収容抽斗２３を自由に組合せることができる(図１参照)。こうして通常はシュレッダーを机の上に置き少量の文書の破砕に使用し、文書が多くなると、該紙収容抽斗２３を引き出し、シュレッダー四辺の徐々に縮小する側壁２６を利用し、異なる大きさの収容桶上に対応接続し、或いは随意にゴミ箱或いは紙箱等の上に組合せることができる。これによりその収容量をフレキシブルに改変可能で、頻繁に廃棄紙を空ける必要がなくなり、シュレッダー作業をスムーズに行うことができる。
【００１８】
別に図９、図１０に示すように、系列製品を開発、製造し市場のニーズに応えるため、本考案は大型機種の製造時には、本体１辺上に弧状突起形状の持ち手１１５を増設する。該組合せケース２は上下等幅の直筒を採用可能で、底部後方の両角にはキャスター２００を設置し、前方の両角には短柱２５０を設置する。こうして直立時に安定し、必要時には該持ち手１１５を手で持ち、機体をいくらか持ち上げ、後方に設置するキャスター２００を利用し迅速に移動させることができる。
【００１９】
しかも応用時に、シュレッダーを安定的に直立させるため、実施時には該組合せケース２の側辺に粘着嵌合帯２９０を増設し、家具４と相互に粘着接合させ、補助固定の効果を達成することができる。
【図面の簡単な説明】
【００２０】
【図１】本考案の立体組合せ図である。
【図２】本考案の平面分解図である。
【図３】本考案の組合せ断面図である。
【図４】本考案の灯光概略図である。
【図５】本考案系列製品の組合せ外観図である。
【図６】パネル蓋を設置する本考案の立体外観図である。
【図７】底部に開口部を設置する本考案の応用例図である。
【図８】底部に開口部を設置する本考案の別種の応用例図である。
【図９】本考案大型機種の組合せ外観図である。
【図１０】本考案大型機種の応用例図である。
【符号の説明】
【００２１】
１  本体
１０  接続孔
１１  パネル
１２  フランジ
１１０  パネル蓋
１１５  持ち手
１３  ガイド角
１４  電源コンセント
１５  側壁
１６  底部
１７  ハンドル
１８  導入切口
１９  進紙口
２  組合せケース
２０  接続孔
２１  上開口部
２２  側開口部
２３  紙収容抽斗
２４  ネジ
２５  開口部
２６  側壁
２００  キャスター
２５０  短柱
２９０  粘着嵌合帯
３  照明灯
４  家具
【図１】
0003145196.tif 000003
【図２】
0003145196.tif 000004
【図３】
0003145196.tif 000005
【図４】
0003145196.tif 000006
【図５】
0003145196.tif 000007
【図６】
0003145196.tif 000008
【図７】
0003145196.tif 000009
【図８】
0003145196.tif 000010
【図９】
0003145196.tif 000011
【図１０】
0003145196.tif 000012